(57)【要約】【課題】  足の悪い人でも容易に身体を持ち上げる事が出来、且つ、部屋の中を自由に移動する事が出来る介護用移動式補助具を開発・提供する事にある。【解決手段】  天井面に敷設した薄板鋼板と所定の隙間を空けた複数枚の磁気板と移動用キャスターを外周部に複数箇所固着した基板をそれぞれ設け、且つ、該基板の外周側面部にカバーを固着し、該カバー内部の中央下部にベルト巻取り駆動手段と上向復帰手段を有するベルト巻取り用リールを設け、且つ、該基板の中央部にヒンジ上下移動式落下防止用強力磁気板と上下移動手段を組み合わせて設け、且つ、該ベルトの先端部にユニバーサルジョイント付サポーターを設け、且つ、身体持ち上げ時は巻取り駆動手段を使用して所定高まで持ち上げ、自力で任意方向に移動可能にし、且つ、ベルト部に掛かる荷重が許容荷重を越えた時、上下移動手段により強力磁気板を持ち上げて吸着し、吸着力を増大し、本体落下防止構造にした。【選択図】  図１
2007097874.tif 000002
【特許請求の範囲】
【請求項１】
天井面に薄板鋼板を敷設し、本体を吸着手段により薄板鋼板部に吸着させ、磁力・吸着力を利用してサポート付ベルトを巻取り駆動手段により巻き取る事で身体を持ち上げて支え、且つ、前後左右等、全周方向に任意に移動可能な補助具であって、該補助具は天井（ＣＢ）面に敷設した薄板鋼板（ＳＴ）と所定の隙間（Ｃ）を空けた複数枚の磁気板（２ａ）（２ｂ）と移動用キャスター（４）を外周部に複数箇所固着した基板（１）をそれぞれ設け、且つ、該基板（１）の外周側面部にカバー（５）を固着し、該カバー（５）内部の中央下部にモートル等のベルト巻取り駆動手段（Ｍ）とスプリング等の上向復帰手段（６）を有するベルト（ＢＥ）巻取り用リール（７）を設け、且つ、該基板（１）の中央部にヒンジ上下移動式落下防止用強力磁気板（３）と上下移動手段（８）を組み合わせて設け、且つ、該ベルト（ＢＥ）の先端部にユニバーサルジョイント金具（ＵＪ）付サポーター（１０）を設け、且つ、身体持ち上げ時は巻取り駆動手段（Ｍ）を使用して所定高さ（Ｈ１）まで持ち上げ、自力で任意方向に移動可能にし、且つ、ベルト（ＢＥ）部に掛かる荷重が許容荷重を越えた時は、上下移動手段（８）により強力磁気板（３）を持ち上げて吸着し、吸着力を増大し、本体（ＭＵ）落下を防止する構造にして設けた事を特徴とする介護用移動式補助具。
【請求項２】
天井面に薄板鋼板を敷設し、本体を吸着手段により薄板鋼板部に吸着させ、磁力・吸着力を利用して吊り籠付ベルトを巻取り駆動手段により巻き取る事で荷物を持ち上げ、且つ、前後左右等、全周方向に任意に移動可能な補助具であって、該補助具は天井（ＣＢ）面に敷設した薄板鋼板（ＳＴ）と所定の隙間（Ｃ）を空けた複数枚の磁気板（２ａ）（２ｂ）と移動用キャスター（４）を外周部に複数箇所固着した基板（１）をそれぞれ設け、且つ、該基板（１）の外周側面部にカバー（５）を固着し、該カバー（５）内部の中央下部にモートル等のベルト巻取り駆動手段（Ｍ）とスプリング等の上向復帰手段（６）を有するベルト（ＢＥ）巻取り用リール（７）を設け、且つ、該基板（１）の中央部にヒンジ上下移動式落下防止用強力磁気板（３）と上下移動手段（８）を組み合わせて設け、且つ、該ベルト（ＢＥ）の先端部にユニバーサルジョイント金具（ＵＪ）付吊り籠（１１）を設け、且つ、荷物（ＬＵ）運搬時は巻取り駆動手段（Ｍ）を使用して所定高さ（Ｈ２）まで持ち上げ、自力で任意方向に移動可能にし、且つ、ベルト（ＢＥ）部に掛かる荷重が許容荷重を越えた時は、上下移動手段（８）により強力磁気板（３）を持ち上げて吸着し、吸着力を増大し、本体（ＭＵ）落下を防止する構造にして設けた事を特徴とする介護用移動式補助具。
【発明の詳細な説明】
【技術分野】
【０００１】
この発明は、寝たきり老人や身障者等の介護用移動式補助具に関するものである。
【背景技術】
【０００２】
従来、寝たきり老人や身障者等の歩行や荷物の運搬等を手助けする為の介護用品は数多く見掛けられるが、大半が直接手で持って使用する物が多く、歩く事は出来ても両手が使用出来ない為、物を持って歩く事が出来ない。又、障害物や段差等が床面に有ったりした場合、歩行区域が制限され、思うように移動出来ない等の問題があった。
【０００３】
又、このほか天井にレールを敷設して、身体を持ち上げ移動するものも有るが、上記同様、行動範囲が制限され、自由に歩く事は出来なかった。
【０００４】
そこで、これまでに考案され出願されている特許文献を参考の為、紹介する。（特許文献１参照。）
【特許文献１】実用新案登録第３０７９３９４号
【発明の開示】
【発明が解決しようとする課題】
【０００５】
そこで、上記課題を解決する為に、この発明は老人や身障者等、足の悪い人でも容易に身体を持ち上げる事が出来、且つ、部屋の中を自由に移動する事が出来る介護用移動式補助具を開発・提供する事にある。
【課題を解決するための手段】
【０００６】
この課題を解決する為の手段として、天井面に敷設した薄板鋼板と所定の隙間を空けた複数枚の磁気板と移動用キャスターを外周部に複数箇所固着した基板をそれぞれ設け、且つ、該基板の外周側面部にカバーを固着し、該カバー内部の中央下部にモートル等のベルト巻取り駆動手段とスプリング等の上向復帰手段を有するベルト巻取り用リールを設け、且つ、該基板の中央部にヒンジ上下移動式落下防止用強力磁気板と上下移動手段を組み合わせて設け、且つ、該ベルトの先端部にユニバーサルジョイント金具付サポーターを設け、且つ、身体持ち上げ時は巻取り駆動手段を使用して所定高さまで持ち上げ、自力で任意方向に移動可能にし、且つ、ベルト部に掛かる荷重が許容荷重を越えた時は、上下移動手段により強力磁気板を持ち上げて吸着し、吸着力を増大し、本体落下を防止する構造にして設けたものである。
【０００７】
又、天井面に敷設した薄板鋼板と所定の隙間を空けた複数枚の磁気板と移動用キャスターを外周部に複数箇所固着した基板をそれぞれ設け、且つ、該基板の外周側面部にカバーを固着し、該カバー内部の中央下部にモートル等のベルト巻取り駆動手段とスプリング等の上向復帰手段を有するベルト巻取り用リールを設け、且つ、該基板の中央部にヒンジ上下移動式落下防止用強力磁気板と上下移動手段を組み合わせて設け、且つ、該ベルトの先端部にユニバーサルジョイント金具付吊り籠を設け、且つ、荷物運搬時は巻取り駆動手段を使用して所定高さまで持ち上げ、自力で任意方向に移動可能にし、且つ、ベルト部に掛かる荷重が許容荷重を越えた時は、上下移動手段により強力磁気板を持ち上げて吸着し、吸着力を増大し、本体落下を防止する構造にして設けたものである。
【発明の効果】
【０００８】
この発明の効果として、天井面に敷設した薄板鋼板と所定の隙間を空けた複数枚の磁気板と移動用キャスターを外周部に複数箇所固着した基板をそれぞれ設け、且つ、該基板の外周側面部にカバーを固着し、該カバー内部の中央下部にモートル等のベルト巻取り駆動手段とスプリング等の上向復帰手段を有するベルト巻取り用リールを設け、且つ、該基板の中央部にヒンジ上下移動式落下防止用強力磁気板と上下移動手段を組み合わせて設け、且つ、該ベルトの先端部にユニバーサルジョイント金具付サポーターを設け、且つ、身体持ち上げ時は巻取り駆動手段を使用して所定高さまで持ち上げ、自力で任意方向に移動可能にし、且つ、ベルト部に掛かる荷重が許容荷重を越えた時は、上下移動手段により強力磁気板を持ち上げて吸着し、吸着力を増大し、本体落下を防止する構造にして設けた事で、介護する人の労力を軽減する事が出来、又、足の悪い人が自立して歩く意欲を奮起させる事で、体力の向上が図れる。
【０００９】
又、天井面に敷設した薄板鋼板と所定の隙間を空けた複数枚の磁気板と移動用キャスターを外周部に複数箇所固着した基板をそれぞれ設け、且つ、該基板の外周側面部にカバーを固着し、該カバー内部の中央下部にモートル等のベルト巻取り駆動手段とスプリング等の上向復帰手段を有するベルト巻取り用リールを設け、且つ、該基板の中央部にヒンジ上下移動式落下防止用強力磁気板と上下移動手段を組み合わせて設け、且つ、該ベルトの先端部にユニバーサルジョイント金具付吊り籠を設け、且つ、荷物運搬時は巻取り駆動手段を使用して所定高さまで持ち上げ、自力で任意方向に移動可能にし、且つ、ベルト部に掛かる荷重が許容荷重を越えた時は、上下移動手段により強力磁気板を持ち上げて吸着し、吸着力を増大し、本体落下を防止する構造にして設けた事で、足の悪い人でも荷物を運搬しながら、自力で自由に歩行出来る等、極めて有益なる効果を奏するものである。
【発明を実施するための最良の形態】
【００１０】
この発明の最良の形態として、安全に安心して楽に使用する為にも、ベルトに掛かる最大許容荷重と通常歩行時の荷重設定を明確にし、その荷重条件に適応した最適な磁力（吸着力）を設定し、万が一、高負荷荷重がベルトに掛かっても、本体落下を防止可能にする事が重要である。
【実施例１】
【００１１】
そこで、この発明の一実施例を図１〜図３に基づいて詳述すると、天井面に薄板鋼板を敷設し、本体を吸着手段により薄板鋼板部に吸着させ、磁力・吸着力を利用してサポート付ベルトを巻取り駆動手段により巻き取る事で身体を持ち上げて支え、且つ、前後左右等、全周方向に任意に移動可能な補助具であって、該補助具は天井（ＣＢ）面に敷設した薄板鋼板（ＳＴ）と所定の隙間（Ｃ）を空けた複数枚の磁気板（２ａ）（２ｂ）と移動用キャスター（４）を外周部に複数箇所固着した基板（１）をそれぞれ設け、且つ、該基板（１）の外周側面部にカバー（５）を固着し、該カバー（５）内部の中央下部にモートル等のベルト巻取り駆動手段（Ｍ）とスプリング等の上向復帰手段（６）を有するベルト（ＢＥ）巻取り用リール（７）を設け、且つ、該基板（１）の中央部にヒンジ上下移動式落下防止用強力磁気板（３）と上下移動手段（８）を組み合わせて設け、且つ、該ベルト（ＢＥ）の先端部にユニバーサルジョイント金具（ＵＪ）付サポーター（１０）を設け、且つ、身体持ち上げ時は巻取り駆動手段（Ｍ）を使用して所定高さ（Ｈ１）まで持ち上げ、自力で任意方向に移動可能にし、且つ、ベルト（ＢＥ）部に掛かる荷重が許容荷重を越えた時は、上下移動手段（８）により強力磁気板（３）を持ち上げて吸着し、吸着力を増大して本体（ＭＵ）落下を防止する構造にして設けた事を特徴とする介護用移動式補助具から構成される。
【００１２】
又、天井面に薄板鋼板を敷設し、本体を吸着手段により薄板鋼板部に吸着させ、磁力・吸着力を利用して吊り籠付ベルトを巻取り駆動手段により巻き取る事で荷物を持ち上げ、且つ、前後左右等、全周方向に任意に移動可能な補助具であって、該補助具は天井（ＣＢ）面に敷設した薄板鋼板（ＳＴ）と所定の隙間（Ｃ）を空けた複数枚の磁気板（２ａ）（２ｂ）と移動用キャスター（４）を外周部に複数箇所固着した基板（１）をそれぞれ設け、且つ、該基板（１）の外周側面部にカバー（５）を固着し、該カバー（５）内部の中央下部にモートル等のベルト巻取り駆動手段（Ｍ）とスプリング等の上向復帰手段（６）を有するベルト（ＢＥ）巻取り用リール（７）を設け、且つ、該基板（１）の中央部にヒンジ上下移動式落下防止用強力磁気板（３）と上下移動手段（８）を組み合わせて設け、且つ、該ベルト（ＢＥ）の先端部にユニバーサルジョイント金具（ＵＪ）付吊り籠（１１）を設け、且つ、荷物（ＬＵ）運搬時は巻取り駆動手段（Ｍ）を使用して所定高さ（Ｈ２）まで持ち上げ、自力で任意方向に移動可能にし、且つ、ベルト（ＢＥ）部に掛かる荷重が許容荷重を越えた時は、上下移動手段（８）により強力磁気板（３）を持ち上げて吸着し、吸着力を増大して本体（ＭＵ）落下を防止する構造にして設けた事を特徴とする介護用移動式補助具から構成される。
【００１３】
次に、この発明の構成について説明すると、この発明は主に天井（ＣＢ）面に敷設した薄板鋼板（ＳＴ）に吸着させる本体（ＭＵ）と本体内部のリール（７）に巻き付けられたベルト（ＢＥ）と身体を保持するサポーター（１０）とで構成され、且つ、本体内部の牽引用フック（３ｂ）から垂下された牽引用ハンドル（９）には、リール巻取り駆動用のスィッチ（９ｃ）が内蔵され、片手でＯＮ・ＯＦＦ操作が出来る構造に成っていて、スィッチをひとさし指で下方に引くとベルトの巻取りを開始し、再度引くと停止する様に成っている。又、ベルト巻取り用モートル等の駆動手段（Ｍ）は、直流電動式でカバー内の一端に乾電池（ＤＢ）が収納出来る様に成っている。従って、配線等の設置が不要な為、操作性が良く、経済的にも安く成る。勿論、操作性・経済性等の問題が無い場合は、交流電動式を使用しても構わない。
【００１４】
次に、本体の内部構造について詳細に説明すると、まず、本体（ＭＵ）の上部に位置する楕円状の基板（１）と基板の外周部に複数のビス（Ｓ４）で固着したカバー（５）を設け、且つ、該基板の外周部に本体を吸着して落下を防止し、且つ、人を支える為の扇状の磁気板（２ａ）２枚と矩形状の磁気板（２ｂ）４枚の計６枚の磁気板をビス（Ｓ１）で固着し、且つ、該基板の四隅には移動用キャスター（４）を４本のビス（Ｓ３）でそれぞれ固着し、更に基板の中央部には、一端をヒンジで固定し、多端中央部に牽引用フックを固着した上下移動板（３’）を設け、且つ、上下移動板（３’）上に落下防止用の強力磁気板（３ａ）を４本のビスで固着し、且つ、先端部に電動切替スィッチ（９ｃ）付ハンドル（９ａ）を係止した牽引紐（９ｂ）で引っ張って上下移動可能に設けたものである。
【００１５】
又、カバーの内部中央下部には４本のガイド用ボルトを垂直方向に埋設し、且つ、該ガイド用ボルト上端部にはリールサポートのガイド穴と、下部に４本の圧縮バネを嵌挿し、ベルト（ＢＥ）に過負荷（許容荷重を超えた時）が生じた場合、リールサポートが圧縮バネを圧縮しながら下方へ移動する。
【００１６】
又、基板（１）の下部左右には上下移動手段（８）用のブラケット（８ａ）をそれぞれ設け、且つ、該ブラケット（８ａ）の軸部左右に遥動式リンク（８ｃ）と上下移動式リンク（８ｄ）をそれぞれのピン（８ｂ）（８ｅ）で連結して組み合わせ、更に遥動式リンクの一端を牽引フックの長穴軸部にピン（８ｆ）を軸支し、且つ、上下移動式リンク（８ｄ）の一端をリールドラムの軸部に軸支する事で、ベルト（ＢＥ）に過負荷（許容荷重を超えた時）が生じた場合、上下移動手段（８）の作動により上下移動板（３’）がヒンジ部を支点にして上方向に移動し、強力磁気板（３ａ）が天井の薄板鋼板（ＳＴ）に吸着し、本体（ＭＵ）の落下を防止する仕組みに成っている。又、基板の外周部に固着した磁気板（２ａ）（２ｂ）と天井部薄板鋼板（ＳＴ）との隙間（Ｃ）寸法は磁力（吸着力）の強弱に応じた安全性を考慮し、適宜、変更可能に設けている。
【００１７】
次に、本発明の使用方法について説明すると、図４に示す様に本体（ＭＵ）を天井の薄板鋼板（ＳＴ）に常時吸着させておき、使用する時はベルトの先端部に設けられたサポートを手で広げて脇部に固着し、牽引用ハンドル（９）のスィッチを引っ張ってベルトを巻き上げながら身体を起こして立ち上がり、ゆっくり本体を引っ張りながら移動する。
【実施例２】
【００１８】
その他の事例として、図５に示す様に荷物（例えば、薬や食事やベッド等）を運搬しながら歩行する事も可能であるが、最大積載荷重を厳守して、安全、且つ、安心して楽に運搬歩行する事が重要となる。
【００１９】
又、この他用途に応じてベルト先端部のアタッチメントを交換し、多種・多様な使用方法が可能であり、上記事例のみに限る事はない。
【産業上の利用可能性】
【００２０】
この発明の介護用移動式補助具は、老人や身障者等、足の悪い人でも容易に身体を持ち上げる事が出来、且つ、部屋の中を自由に移動する事が出来る為、病院や介護施設等、多くの市場に寄与する点で産業上の利用可能性を有する。
【図面の簡単な説明】
【００２１】
【図１】この発明の一実施例を示し、一部欠截正面図である。
【図２】この発明の一実施例を示し、一部欠截側面図である。
【図３】この発明の一実施例を示し、（Ａ）は平面図で、（Ｂ）は図３（Ａ）のａ−ａ矢視断面図である。
【図４】この発明の使用例を示し、歩行時の斜視図である。
【図５】この発明の使用例を示し、荷物運搬歩行時の斜視図である。
【符号の説明】
【００２２】
１  基板
２ａ  磁気板
２ｂ  磁気板
３  ヒンジ上下移動式落下防止用強力磁気板
３’  上下移動板
３ａ  強力磁気板
３ｂ  牽引フック
４  移動用キャスター
５  カバー
６  上向復帰手段
６ａ  ガイド用ボルト
６ｂ  圧縮バネ
７  巻取り用リール
７ａ  リールサポート
７ｂ  リールドラム
８  上下移動手段
８ａ  ブラケット
８ｂ  ピン
８ｃ  遥動式リンク
８ｄ  上下移動式リンク
８ｅ  ピン
８ｆ  ピン
９  電動切替スィッチ付ハンドル
９ａ  ハンドル
９ｂ  牽引紐
９ｃ  切替スィッチ
１０  サポーター
１１  吊り籠
ＢＥ  ベルト
Ｃ  所定の隙間
ＣＢ  天井
ＤＢ  乾電池
Ｈ１  所定高さ
Ｈ２  所定高さ
Ｍ  巻取り駆動手段
ＭＵ  本体
ＳＴ  薄板鋼板
Ｓ１  ビス
Ｓ２  ビス
Ｓ３  ビス
Ｓ４  ビス
ＵＪ  ユニバーサルジョイント金具
【図１】
2007097874.tif 000003
【図２】
2007097874.tif 000004
【図３】
2007097874.tif 000005
【図４】
2007097874.tif 000006
【図５】
2007097874.tif 000007